(57)【要約】【課題】印字途中で、混色、不吐、レジずれが発生した場合に、ユーザー側に、手間をかけずに印字中に自動で混色、不吐、レジずれに対処する処理を行う。【解決手段】印字スキャンに黒の印字領域がある場合に、紙面上のその位置で全ノズルの吐出を行い、スキャナで混色、不吐検出を行い、混色がある場合は、混色回復処理、不吐がある場合は、不吐補間処理を行い、全吐出を行った領域は、黒データを上書きして隠し、印刷途中で自動混色、不吐検出を行う。まｔ、同様に紙面上の黒の印字予定領域に、レジ調整パターン印字を行い、スキャナでレジずれ検出を行い、ずれている場合は、吐出タイミングをずらして印字を行い、レジ調整パターンの印字領域は、黒データを上書きして隠し、印刷と中で自動レジ調整を行う。混色、不吐、レジずれ検知に、印字ヘッドの隣に備えられたスキャナヘッドを用いる。【選択図】        図１
2004216720.tif 000002
【特許請求の範囲】
【請求項１】
印字スキャンに黒の印字領域がある場合に、紙面上のその位置で全ノズルの吐出を行い、スキャナで混色、不吐検出を行い、混色がある場合は、混色回復処理、不吐がある場合は、不吐補間処理を行い、全吐出を行った領域は、黒データを上書きして隠し、印刷途中で自動混色、不吐検出を行うことを特徴とするプリンタ。
【請求項２】
印字スキャンに黒の印字領域がある場合に、紙面上のその位置でレジ調整パターン印字を行い、スキャナでレジずれ検出を行い、ずれている場合は、レジ調整値を変更し吐出タイミングをずらして印字を行い、レジ調整パターン印字を行った領域は、黒データを上書きして隠し、印刷途中で自動レジ調整を行うことを特徴とするプリンタ。
【請求項３】
上記請求項１において、混色、不吐検出に印字ヘッドの横に備えられたオンキャリッジのスキャナを用いて検出することを特徴とするプリンタ。
【請求項４】
上記請求項２において、レジずれ検出に印字ヘッドの横に備えられたオンキャリッジのスキャナを用いて検出することを特徴とするプリンタ。
【請求項５】
上記請求項１において、自動混色、不吐検出は、１ページに最大１回までしか行わないことを特徴とするプリンタ。
【請求項６】
上記請求項２において、自動レジ調整は、１ページに最大１回までしか行わないことを特徴とするプリンタ。
【発明の詳細な説明】
【０００１】
【発明の属する技術分野】
本発明はプリンタに関し、特にインクジェットプリンタに関するものである。
【０００２】
【従来の技術】
従来、インクジェットプリンタは、印字中に混色、不吐検出、レジ調整は、行っていない。混色、不吐検出、レジ調整を行う場合、ユーザーがテスト印字を行い、ユーザー側で混色があったときは、回復動作、レジがずれていた場合は、レジ調整値の再設定をおこなっていた。
【０００３】
【発明が解決しようとする課題】
従来のように、ユーザー側で、印字前に混色、不吐検出、レジ調整を行うと、印刷途中で、混色、不吐、レジずれが発生した場合は、対処できなかった。
【０００４】
また、印字前に混色、不吐検出、レジ調整をする場合は、検出、調整のために検出パターン、調整パターンの印刷行う必要があるため、検出パターン、調整パターン用の紙を無駄にしていた。
【０００５】
本発明は、上記の問題点を解消するためになされたもので、本発明に係わる第１の発明〜第６の発明の目的は、印字途中で、混色、不吐、レジずれが発生した場合に、ユーザー側に、手間をかけずに印字中に自動で混色、不吐、レジずれに対処する処理を行い、また、印字前に検出パターン、調整パターンの印字に使用していた紙の無駄を省くことのできるプリンタの提供である。
【０００６】
【課題を解決するための手段】
本発明は、上記課題を解決するために以下の構成を備えるものである。
【０００７】
本発明に係わる第１の発明は、印字スキャンに黒の印字領域がある場合に、紙面上のその位置で全ノズルの吐出を行い、スキャナで混色、不吐検出を行い、混色がある場合は、混色回復処理、不吐がある場合は、不吐補間処理を行い、全吐出を行った領域は、黒データを上書きして隠し、印刷途中で自動混色、不吐検出を行うことを特徴とする。
【０００８】
本発明に係わる第２の発明は、印字スキャンに黒の印字領域がある場合に、紙面上のその位置でレジ調整パターン印字を行い、スキャナでレジずれ検出を行い、ずれている場合は、吐出タイミングをずらして印字を行い、レジ調整パターン印字を行った領域は、黒データを上書きして隠し、印刷途中で自動レジ調整を行うことを特徴とする。
【０００９】
本発明に係わる第３の発明は、上記混色、不吐検出に印字ヘッドの横に備えられたオンキャリッジのスキャナを用いて検出することを特徴とする。
【００１０】
本発明に係わる第４の発明は、上記レジずれ検出に印字ヘッドの横に備えられたオンキャリッジのスキャナを用いて検出することを特徴とする。
【００１１】
本発明に係わる第５の発明は、上記自動混色、不吐検出は、１ページに最大１回までしか行わないことを特徴とする。
【００１２】
本発明に係わる第６の発明は、上記自動レジ調整は、１ページに最大１回までしか行わないことを特徴とする。
【００１３】
【発明の実施の形態】
以下、本発明の実施の形態を図面を参照して説明する。
【００１４】
【実施例】
図１は、本発明の構成を示す図である。
【００１５】
１は、プリンタにデータを転送するＰＣである。２は、ＰＣとプリンタを接続するＩＦである。１０は、プリンタであり、プリンタ１０のキャリッジ１３には、印字ヘッド１１とスキャナヘッド１２を両方備えている。印字ヘッド１１は、ＰＣ１からのデータの印字と混色／不吐検出パターンあるいはレジ調整パターンの印字を行う。スキャナ１２は、混色／不吐ノズル検出あるいはレジずれ量検出を行う。
【００１６】
図２は、混色／不吐ノズル検出を印字途中で行う場合の概略を示す図である。
【００１７】
２０は、印字データを出力する紙で、２１は、プリンタのキャリッジである。
【００１８】
印字スキャンに２３の全ノズル吐出パターンより大きい２２の黒印字領域がある場合、印字スキャンを行う前に混色／不吐ノズル検出を行う。キャリッジ２１を黒印字領域２２内に動かして、キャリッジ２１に装着してある印字ヘッドで全ノズル吐出パターン２３印字を行う。印字を行った後、キャリッジ２１に装着してあるスキャナヘッドで印字した全ノズル吐出パターン２３を読み取り、混色／不吐ノズル検出を行う。検出を行った後に、通常の印字を行い、検出パターンを黒で上書するので、パターンは、見えなくなる。
【００１９】
図３は、レジ調整を印字途中で行う場合の概略を示す図である。
【００２０】
３０は、印字データを出力する紙で、３１は、プリンタのキャリッジである。印字スキャンに３３の往復レジ調整パターンより大きい３２の黒印字領域がある場合、印字スキャンを行う前にレジ調整を行う。キャリッジ３１を黒印字領域３２内に動かして、キャリッジ３１に装着してある印字ヘッドで往復レジ調整パターン３３印字を行う。印字を行った後、キャリッジ３１に装着してあるスキャナヘッドで印字した往復レジ調パターン３３を読み取り、ずれ量を検出し、レジ調整値を再決定する。検出を行った後に、通常の印字を行い、検出パターンを黒で上書するので、パターンは、見えなくなる。
【００２１】
図４は、混色／不吐ノズル検出を印字途中で行う場合のフローチャートである。
【００２２】
まずＳ１で印字スキャンを行う前に印字スキャンに黒印字領域があるか印字バッファをチェックする。ないときはＳ１０へ進み通常通り印字スキャン動作を行う。黒印字領域がある場合は、Ｓ２へ進みその黒印字領域が混色／不吐検出パターンより大きいかチェックする。大きくないときはＳ１０へ進み通常通り印字スキャン動作を行う。大きいときは、Ｓ３へ進み、ページ内ですでに検出処理が行われていないかチェックする。すでに行われている場合は、ページ内で何回も検出処理を行うとスループットが落ちるので、検出処理は行わず、Ｓ１０へ進み通常通り印字スキャン動作を行う。ページ内で初めて検出処理を行う場合は、Ｓ４へ進む。Ｓ４で実際の印字動作で黒の印字を行う領域に混色／不吐ノズルパターンを印字する。この印字パターンは、全色全ノズル吐出するパターンである。次に、Ｓ５においてＳ４で印字した混色／不吐ノズルパターンをキャリッジの印字ヘッドの隣に備えられたスキャナで読み取り、混色／不吐ノズル検出を行う。Ｓ６で混色していないかチェックする。混色しているときは、Ｓ７へ進み、予備吐などの混色回復処理を行う。混色してないときはＳ８へ進む。Ｓ８では、不吐ノズルがあるかチェックして、不吐ノズルがあるときは、Ｓ９の不吐ノズル補間処理を行い、印字のマスク処理を変更して不吐ノズルに対応する位置で別ノズルで吐出する補間処理を行う。最後にＳ１０で通常通り、ＰＣからの印字データの出力を行い、検出パターン位置に黒が上書きされるので、検出パターンは、見えなくなる。
【００２３】
以上の処理で、印字途中に混色／不吐ノズル検出が自動で行われる。
【００２４】
図５は、レジ調整を印字途中で行う場合のフローチャートである。
【００２５】
まずＳ１１で印字スキャンを行う前に印字スキャンに黒印字領域があるか印字バッファをチェックする。ないときはＳ１８へ進み通常通り印字スキャン動作を行う。黒印字領域がある場合は、Ｓ１２へ進みその黒印字領域がレジ調整パターンより大きいかチェックする。大きくないときはＳ１８へ進み通常通り印字スキャン動作を行う。大きいときは、Ｓ１３へ進み、ページ内ですでに検出処理が行われていないかチェックする。すでに行われている場合は、ページ内で何回も検出処理を行うとスループットが落ちるので、検出処理は行わず、Ｓ１８へ進み通常通り印字スキャン動作を行う。ページ内で初めて検出処理を行う場合は、Ｓ１４へ進む。Ｓ１４で実際の印字動作で黒の印字を行う領域にレジ調整パターンを印字する。この印字パターンは、往復動作それぞれ同じ位置で同じパターンを吐出する。次に、Ｓ１５においてＳ１４で印字したレジ調整パターンをキャリッジの印字ヘッドの隣に備えられたスキャナで読み取り、レジずれ量検出を行う。Ｓ１６でレジずれしていないかチェックする。レジずれしているときは、Ｓ１７へ進み、レジ調整値の変更処理を行う。レジずれしてないときはＳ１８へ進む。最後にＳ１８で通常通り、ＰＣからの印字データの出力を行い、検出パターン位置に黒が上書きされるので、検出パターンは、見えなくなる。
【００２６】
以上の処理で、印字途中にレジ調整が自動で行われる。
【００２７】
【発明の効果】
以上説明したように、本発明によれば、印字途中で、混色、不吐、レジずれが発生した場合に、ユーザー側に、手間をかけずに印字中に自動で混色、不吐、レジずれに対処する処理を行い、また、印字前に検出パターン、調整パターンの印字に使用していた紙の無駄を省ける。
【図面の簡単な説明】
【図１】本発明の構成図
【図２】印字途中時自動混色／不吐ノズル検出の概略図
【図３】印字途中時自動レジ調整の概略図
【図４】印字途中時自動混色／不吐ノズル検出のフローチャート
【図５】印字途中時自動レジ調整のフローチャート
【符号の説明】
１  ＰＣ
２  ＩＦ
１０  プリンタ
１１  印字ヘッド
１２  スキャナヘッド（スキャナ）
１３  キャリッジ
２０、３０  紙
２１、３１  キャリッジ
２２、３２  黒印字領域
２３  全ノズル吐出パターン
３３  往復レジ調整パターン
【図１】
2004216720.tif 000003
【図２】
2004216720.tif 000004
【図３】
2004216720.tif 000005
【図４】
2004216720.tif 000006
【図５】
2004216720.tif 000007